(57)【特許請求の範囲】
【請求項１】
押鍵に伴い弦を打弦するグランドピアノのハンマー装置であって、
互いに平行な一対の案内面を有するハンマーシャンクフレンジと、
互いに平行な一対の平面を有し、当該一対の平面が前記一対の案内面にそれぞれ対向した状態で、前記ハンマーシャンクフレンジに回動自在に取り付けられ、前記一対の案内面によって案内されるシャンクホルダと、
このシャンクホルダとは別体に構成され、一端部が前記シャンクホルダに固定された細長いハンマーシャンクと、
このハンマーシャンクの他端部に固定され、押鍵に伴う前記シャンクホルダおよび前記ハンマーシャンクの回動により、前記弦を打弦するハンマーヘッドと、
を備え、
前記ハンマーシャンクフレンジおよび前記シャンクホルダは、合成樹脂の成形品で構成されており、
前記シャンクホルダには、シャンクローラーを取り付けるためのシャンクローラー芯が一体に成形されていることを特徴とするグランドピアノのハンマー装置。
【発明の詳細な説明】
【０００１】
【発明の属する技術分野】
本発明は、押鍵に伴い弦を打弦するグランドピアノのハンマー装置に関する。
【０００２】
【従来の技術】
従来、この種のハンマー装置として、図３に示すものが知られている。このグランドピアノ（図示せず）では、多数のハンマー装置３０（１つのみ図示）が、図示しない鍵盤に対応し、互いに近接した状態で並設されている。各ハンマー装置３０は、ハンマーシャンクフレンジ３１（以下単に「フレンジ３１」という）、ハンマーシャンク３２およびハンマーヘッド３３などで構成されている。フレンジ３１は、合成樹脂製のものであり、フレンジねじ３４を介して、ハンマーシャンクレール（図示せず）に固定されている。
【０００３】
また、ハンマーシャンク３２は、細長い棒状のものであり、木質の原材を切削加工することにより、作製されている。なお、ハンマーシャンク３２としては、音域に応じて複数種類のものがあり（１種類のみ図示）、これら複数種類のハンマーシャンク３２は、形状および寸法が互いに異なるように形成されている。ハンマーシャンク３２の前端部には、２つの腕３２ａ，３２ａが形成されており、これらの腕３２ａ，３２ａは、互いに平行に前後方向に延びている。これらの腕３２ａ，３２ａにはそれぞれ、左右方向に貫通する孔が互いに対向するように形成されている。また、フレンジ３１の後端部には、後方に突出する係合部３１ａが形成されている。この係合部３１ａには、腕３２ａ，３２ａの孔に対応する孔（図示せず）が形成されており、係合部３１ａが腕３２ａ，３２ａの間に係合した状態で、ピン３５が腕３２ａ，３２ａおよび係合部３１ａの孔に通されている。これにより、ハンマーシャンク３２は、ピン３５を介して、水平軸線回りに回動自在にフレンジ３１に取り付けられている。
【０００４】
さらに、フレンジ３１の係合部３１ａの両側面は、互いに平行に形成されている。また、ハンマーシャンク３２の腕３２ａ，３２ａの内面は、互いに平行で、係合部３１ａの両側面に対向しており、これらの腕３２ａ，３２ａの内面と係合部３１ａの両側面との間には、若干の隙間が形成されている。この構成により、ハンマーシャンク３２は、その回動時に、腕３２ａ，３２ａおよび係合部３１ａによって、案内される。これにより、打弦動作時に、ハンマーシャンク３２およびハンマーヘッド３３は、隣接する他のものに干渉することなく、円滑に回動する。
【０００５】
さらに、ハンマーシャンク３２の前端部には、シャンクローラー芯３６が下方に突出するように取り付けられている。このシャンクローラー芯３６には、円柱状のシャンクローラー３７が取り付けられており、このシャンクローラー３７は、アクションのジャック（またはレペティションレバー）に上方から当接している（いずれも図示せず）。また、前述したハンマーヘッド３３は、ハンマーシャンク３２の後端部に取り付けられている。
【０００６】
以上のように構成されたハンマー装置３０では、グランドピアノの鍵が押されると、シャンクローラー３７がジャックにより押し上げられることによって、ハンマーシャンク３２が上方に回動し、ハンマーヘッド３３が図示しない弦を打弦する。
【０００７】
【発明が解決しようとする課題】
上記従来のハンマー装置３０によれば、腕３２ａ，３２ａなどを有する複雑な形状のハンマーシャンク３２を、木質の原材を切削加工することにより、作製しなければならないとともに、形状および寸法が互いに異なる複数種類のものを作製しなければならないので、加工に手間がかかり、製造コストが高いという問題がある。また、ハンマーシャンク３２の曲げ剛性を確保するために、その全長にわたり木目が切れないように、木質の原材を注意深く加工する必要があるとともに、木目が真っ直ぐで欠点のない原材を選択しなければならず、また、厚い原材を切削加工することによりハンマーシャンク３２を形成するため、歩留まりが悪く、製造コストが上昇する。さらに、シャンクローラー芯３６を、ハンマーシャンク３２とは別個に用意し、これに取り付けなければならないため、その分、部品点数および工数が増加し、製造コストがさらに上昇する。また、木質製のハンマーシャンク３２は、合成樹脂製のフレンジ３１よりも乾湿などの影響により変形を生じやすいので、長期間使用しているうちに、例えばフレンジ３１に対するがたつきを生じ、打弦動作中に、ハンマーヘッド３３が隣接する他のハンマー装置３０に接触するなどの不具合を生じることがある。
【０００８】
また、フレンジ３１およびハンマーシャンク３２が、合成樹脂および木質という互いに異なる材質で構成されているので、湿度に対する膨張の度合が互いに異なる。具体的には、合成樹脂製のフレンジ３１は、湿度の変化に伴い、ほとんど膨張しないのに対して、木質製のハンマーシャンク３２は、フレンジ３１よりも大きく膨張する。前述したように、腕３２ａ，３２ａとフレンジ３１の係合部３１ａとの隙間が狭いので、湿度が上昇するときに、ハンマーシャンク３２がより大きく膨張することにより、これがフレンジ３１に引っかかり、円滑に回動しないような動作不良（以下「スティック」という）を生じることがある。
【０００９】
本発明は、上記課題を解決するためになされたもので、製造コストを削減することができ、耐久性を向上させることができるとともに、スティックを生じることなく打弦動作を確実に行うことができるグランドピアノのハンマー装置を提供することを目的とする。
【００１０】
【課題を解決するための手段】
この目的を達成するために、請求項１に係る発明は、押鍵に伴い弦を打弦するグランドピアノのハンマー装置であって、互いに平行な一対の案内面を有するハンマーシャンクフレンジと、互いに平行な一対の平面を有し、一対の平面が一対の案内面にそれぞれ対向した状態で、ハンマーシャンクフレンジに回動自在に取り付けられ、一対の案内面によって案内されるシャンクホルダと、このシャンクホルダとは別体に構成され、一端部がシャンクホルダに固定された細長いハンマーシャンクと、このハンマーシャンクの他端部に固定され、押鍵に伴うシャンクホルダおよびハンマーシャンクの回動により、弦を打弦するハンマーヘッドと、を備え、ハンマーシャンクフレンジおよびシャンクホルダは、合成樹脂の成形品で構成されており、シャンクホルダには、シャンクローラーを取り付けるためのシャンクローラー芯が一体に成形されていることを特徴とする。
【００１１】
このグランドピアノのハンマー装置によれば、押鍵動作が行われると、シャンクホルダの一対の平面部が、対向するハンマーシャンクフレンジの一対の案内面部にそれぞれ案内された状態で、シャンクホルダ、ハンマーシャンクおよびハンマーヘッドが一体に回動し、ハンマーヘッドが弦を打弦する。この場合、従来のハンマーシャンクに相当するシャンクホルダおよびハンマーシャンクが互いに別体に構成されているので、複数種類のハンマーシャンクを作製する従来の場合と異なり、グランドピアノのすべてのシャンクホルダを、１種類のものに共通化することが可能になる。また、同じ理由から、ハンマーシャンクは、これをシャンクホルダに固定すればよいので、例えば丸棒のような単純で作製しやすい形状のものにすることが可能になる。さらに、ハンマーシャンクの長さが、シャンクホルダの分だけ、従来よりも短くなるので、ハンマーシャンクを従来と同様に木質材で構成することにより、木目に切れのない原材の選択が従来よりも容易になるとともに、原材を切削加工する際の切削量も大幅に削減できる。その結果、材料の歩留まりを向上させることができる。以上により、本発明によれば、従来の場合と比べて、シャンクホルダおよびハンマーシャンクの生産性を向上させることができ、製造コストを削減することができる。
【００１２】
また、シャンクホルダが合成樹脂の成形品で構成されているので、木質の原材を切削加工することで、複雑な形状のハンマーシャンクを作製する従来の場合と比べて、シャンクホルダを、容易にかつ安価に大量生産することができる。また、シャンクホルダを、木質よりも乾湿の影響で劣化しにくい合成樹脂で構成することにより、シャンクホルダを長期間使用した場合でも、従来と異なり、ハンマーシャンクフレンジに対するがたつきなどの不具合を生じにくく、耐久性を向上させることができる。さらに、合成樹脂製のハンマーシャンクフレンジおよびシャンクホルダは、双方とも湿度に対する膨張の度合が木質のものよりも小さいので、木質製の部品と合成樹脂製の部品を組み合わせた従来のハンマー装置と異なり、打弦動作時に、シャンクホルダがスティックを起こすことなく、円滑にかつ確実に回動する。その結果、打弦動作を確実に行うことができる。さらに、従来と異なり、シャンクホルダとは別個のシャンクローラー芯が不要になるので、部品点数を削減できるとともに、その分、工数を削減することができる。その結果、製造コストをより一層、削減することができる。
【００１８】
【発明の実施の形態】
以下、図面を参照しながら、本発明の一実施形態に係るグランドピアノのハンマー装置について説明する。図１は、本実施形態のハンマー装置を示している。このグランドピアノ（図示せず）では、多数のハンマー装置１（１つのみ図示）が、図示しない鍵盤に対応し、互いに近接した状態で並設されている。各ハンマー装置１は、ハンマーシャンクフレンジ２（以下単に「フレンジ２」という）、シャンクホルダ３、ハンマーシャンク４およびハンマーヘッド５などで構成されている。
【００１９】
フレンジ２は、木質と比べて、乾湿の影響により劣化しにくく、硬く摩耗しにくい合成樹脂（例えばポリアセタール樹脂やＡＢＳ樹脂）で一体成形されたものであり、断面矩形で細長い形状を有している。フレンジ２の中央部には、上下方向に貫通する孔２ａが形成されている。この孔２ａに通されたフレンジねじ（図示せず）が、ハンマーシャンクレールのねじ穴（いずれも図示せず）にねじ込まれ、締めつけられることにより、フレンジ２は、前後方向に水平に延びる状態でハンマーシャンクレールに固定されている。また、フレンジ２の後端部には、係合部２ｂが形成されており、この係合部２ｂは、フレンジ２の中央部に連続し、中央部よりも狭い所定の幅で後方に延びている。
【００２０】
この係合部２ｂには、これを上下方向に貫通するねじ孔（図示せず）が形成されており、このねじ孔にドロップスクリュー６が螺合している。このドロップスクリュー６は、その長さが係合部２ｂの高さよりも長くなっており、上下端部が係合部２ｂから突出している。ドロップスクリュー６を回し、係合部２ｂの下面からのドロップスクリュー６の突出量を調整することにより、バックストップ位置調整が行われる。
【００２１】
また、シャンクホルダ３は、フレンジ２と同質の合成樹脂によって一体成形されたものであり、断面矩形で細長い直方体形状を有している。シャンクホルダ３は、基本的にフレンジ２の中央部と同じ幅および高さを有している。図２に示すように、シャンクホルダ３の前半部は、一対の腕３ａ，３ａになっており、これらの腕３ａ，３ａはそれぞれ、互いに平行に前後方向に延びている。
【００２２】
これらの腕３ａ，３ａにはそれぞれ、左右方向に貫通する孔３ｂ，３ｂが互いに対向するように形成されている。一方、上記フレンジ２の係合部２ｂには、孔３ｂ，３ｂに対応する孔（図示せず）が形成されており、係合部２ｂが腕３ａ，３ａの間に係合した状態で、ピン７が孔３ｂ，３ｂおよび係合部２ｂの孔に通されている。これにより、シャンクホルダ３は、ピン７を介して、水平軸線回りに回動自在にフレンジ２に取り付けられている。
【００２３】
また、腕３ａ，３ａの内面３ｃ，３ｃ（平面）と係合部２ｂの両側面（案内面）は、互いに平行に対向しており、これらの間には、若干の隙間が画成されている。これにより、シャンクホルダ３の回動の際に、腕３ａ，３ａの内面３ｃ，３ｃはそれぞれ、係合部２ｂの両側面によって案内される。また、内面３ｃ，３ｃを結ぶ内壁３ｄと、係合部２ｂの後端部との間には、十分な間隔が存在しており、シャンクホルダ３の回動の際に、内壁３ｄが係合部２ｂに当たることがない。
【００２４】
さらに、シャンクホルダ３の中央部の下側には、シャンクローラー芯３ｅが一体に成形されている。このシャンクローラー芯３ｅは、シャンクホルダ３の中央部の下面の左右方向の全体にわたって形成され、下方に突出している。このシャンクローラー芯３ｅに、これを前後から覆うように円柱状のシャンクローラー８が取り付けられている。このシャンクローラー８は、フェルト製のものであり、アクションのジャック（またはレペティションレバー）に上方から当接している（いずれも図示せず）。
【００２５】
また、シャンクホルダ３の背面には、取付穴３ｆが形成されている。この取付穴３ｆは、断面円形で所定の深さと所定の径を有し、前後方向に延びている。
【００２６】
一方、前記ハンマーシャンク４は、木質で構成された一定の径の丸棒であり、取付穴３ｆよりも若干小さい径と所定の長さを有している。ハンマーシャンク４は、その前端部が取付穴３ｆに差し込まれた状態で、接着されることにより、シャンクホルダ３に固定されている。また、図１に示すハンマーシャンク４は、高音弦用のものであり、図示しないが、これ以外に低音弦用などの複数種類のハンマーシャンクが設けられている。これらの複数種類のハンマーシャンクは、高音用のものと比較して、径のみが異なっており、具体的には、前後端部の径が同じで、それ以外の部分の径がより大きくなっている。
【００２７】
また、前述したハンマーヘッド５は、ハンマーウッド５ａ、アンダーフェルト５ｂおよびハンマーフェルト５ｃなどで構成されている。ハンマーウッド５ａは、木質で構成され、その下部に図示しない丸穴を備えている。この丸穴にハンマーシャンク４の後端部を差し込み、接着することにより、ハンマーヘッド５は、ハンマーシャンク４に直角に固定されている。
【００２８】
また、アンダーフェルト５ｂおよびハンマーフェルト５ｃは、いずれもフェルトで構成され、ハンマーウッド５ａの上半部を前後から順に覆うように、ハンマーウッド５ａに接着されている。
【００２９】
以上のように構成されたハンマー装置１では、グランドピアノの鍵が押されると、シャンクローラー８がジャックにより押し上げられることによって、シャンクホルダ３、ハンマーシャンク４およびハンマーヘッド５が一体に上方に回動する。
【００３０】
このとき、シャンクホルダ３は、その腕３ａ，３ａの内面３ｃ，３ｃが係合部２ｂの両側面に案内された状態で、回動することにより、ハンマーヘッド５は、図示しない弦を確実に打弦する。
【００３１】
以上のように、本実施形態のハンマー装置１によれば、シャンクホルダ３が、合成樹脂の一体成形品で構成されているので、これを金型などを用いた樹脂成形により作製することができる。これにより、木質の原材を切削加工することにより、複雑な形状のハンマーシャンクを作製する従来の場合と比べて、シャンクホルダ３を容易にかつ安価に大量生産することができる。また、シャンクホルダ３が、ハンマーシャンク４とは別体であるので、複数種類のハンマーシャンクが必要な従来の場合と異なり、グランドピアノのすべてのシャンクホルダ３を、１種類のものに共通化することができる。同じ理由から、ハンマーシャンク４を本実施形態のような単純で製作しやすい形状のもの（丸棒）にすることができる。また、ハンマーシャンク４の長さが、シャンクホルダ３の分だけ、従来よりも短くなるので、木目に切れのない原材の選択が従来よりも容易になるとともに、原材を切削加工する際の切削量も大幅に削減できる。その結果、材料の歩留まりを向上させることができる。さらに、シャンクローラー芯３ｅがシャンクホルダ３に一体に成形されており、これとは別個のシャンクローラー芯が不要になるので、従来よりも部品点数を削減できるとともに、その分、工数を削減することができる。以上により、本実施形態のハンマー装置１によれば、従来のハンマーシャンクに相当するシャンクホルダ３およびハンマーシャンク４の生産性を向上させることができ、製造コストを従来よりも大幅に削減することができる。
【００３２】
また、シャンクホルダ３が、木質と比べて乾湿の影響により劣化しにくい合成樹脂で構成されているので、シャンクホルダ３を長期間使用した場合でも、フレンジ２に対するがたつきなどの不具合を生じにくく、耐久性を向上させることができる。さらに、合成樹脂製のフレンジ４およびシャンクホルダ３は、双方とも湿度に対する膨張の度合が木質のものよりも小さいので、木質製のハンマーシャンクと合成樹脂製のフレンジを組み合わせた従来のハンマー装置と異なり、打弦動作時に、シャンクホルダ３がスティックを起こすことなく、円滑にかつ確実に回動する。その結果、打弦動作を確実に行うことができる。
【００３３】
なお、フレンジ２およびシャンクホルダ３の双方を、合成樹脂に代えて、木質で構成してもよい。このようにすれば、双方の湿度に対する膨張の度合を同じにすることができ、それにより、上記と同様に、打弦動作時におけるシャンクホルダ３の円滑な回動を確保できる。
【００３４】
また、フレンジ２およびシャンクホルダ３を、金属など、木質と比べて乾湿の影響により劣化しにくく、かつ湿度に対する膨張の度合が小さい特性を備えるとともに、両者を成形品として作製できる材質で構成してもよい。また、フレンジ２およびシャンクホルダ３を、互いに異なる合成樹脂で構成してもよく、この場合には、両者の材質を、硬さや湿度に対する膨張の度合などがほぼ同じになるように選択すればよい。
【００３５】
【発明の効果】
以上のように、本発明のグランドピアノのハンマー装置によれば、製造コストを削減することができ、耐久性を向上させることができるとともに、スティックを生じることなく打弦動作を確実に行うことができる。
【図面の簡単な説明】
【図１】本発明の一実施形態に係るグランドピアノのハンマー装置を示す斜視図である。
【図２】（ａ）ハンマー装置のシャンクホルダの斜視図、（ｂ）シャンクホルダの側面図および（ｃ）平面図である。
【図３】従来のグランドピアノのハンマー装置を示す斜視図である。
【符号の説明】
１    ハンマー装置
２    ハンマーシャンクフレンジ
３    シャンクホルダ
３ｃ  内面（平面）
３ｅ  シャンクローラー芯
４    ハンマーシャンク
８    シャンクローラー
【図１】
0004673466.tif 000002
【図２】
0004673466.tif 000003
【図３】
0004673466.tif 000004